(57)【要約】【課題】電動によるズーム微調整を容易に行い得る撮影機器を提供する。【解決手段】被写体の光学像を結像させる撮影光学系２６と被写体の光学像を受けて光電変換し画像信号を出力する撮像素子１３とからなる撮像部と、撮像部から出力された画像信号を視認可能に表示する表示部１８と、ズーム操作を行う操作部材２３と、被写体像を拡大若しくは縮小するズーム制御手段２４ａと、撮像部から出力される画像信号と特定の操作信号を受けて表示部の表示制御と上記ズーム制御を実行する信号処理制御部１１とを具備し、信号処理制御部は、表示部に表示された範囲でズーム制御の微調整を行う。【選択図】図１
2015001716.tif 000002
【特許請求の範囲】
【請求項１】
被写体の光学像を結像させる撮影光学系と上記被写体の光学像を受けて光電変換し画像信号を出力する撮像素子とからなる撮像部と、
上記撮像部から出力された画像信号を視認可能に表示する表示部と、
ズーム操作を行う操作部材と、
上記被写体像を拡大若しくは縮小するズーム制御手段と、
上記撮像部から出力される画像信号と特定の操作信号を受けて上記表示部の表示制御と上記ズーム制御を実行する信号処理制御部と、
を具備し、
上記信号処理制御部は、上記表示部に表示された範囲で上記ズーム制御の微調整を行うことを特徴とする撮影機器。
【請求項２】
上記特定の操作は、特定のリング操作であることを特徴とする請求項１に記載の撮影機器。
【請求項３】
上記表示部上に、タッチパネルをさらに備え、
上記特定の操作は、上記タッチパネルの操作であることを特徴とする請求項１に記載の撮影機器。
【請求項４】
上記微調整を行う範囲を示す表示は、撮影枠内での被写体の大きさを示す表示であることを特徴とする請求項１に記載の撮影機器。
【請求項５】
上記微調整を行う範囲を示す表示は、上記タッチパネルのタッチされた範囲を示す表示であることを特徴とする請求項３に記載の撮影機器。
【請求項６】
撮像部は、撮影光学系により被写体の光学像を結像し、この被写体の光学像を撮像素子により受光して光電変換を行って画像信号を出力し、
表示部は、上記撮像部から出力された画像信号を視認可能に表示し、
操作部材は、ズーム操作を行い、
ズーム制御手段は、上記被写体像を拡大若しくは縮小するズーム制御を行い、
信号処理制御部は、上記撮像部から出力される画像信号と特定の操作信号を受けて上記表示部の表示制御と上記ズーム制御とを実行し、上記表示部に表示された範囲で上記ズーム制御の微調整を行うことを特徴とする撮影機器の制御方法。
【発明の詳細な説明】
【技術分野】
【０００１】
この発明は、電動ズームレンズを備えた撮影機器及びその制御方法に関するものである。
【背景技術】
【０００２】
従来、被写体像を結像させるための撮影光学系を備えたレンズ鏡筒を有し、静止画像や動画像等を撮影するカメラ等の撮影機器が一般に実用化され広く普及している。この種の従来の撮影機器においては、携帯するのに至便なように小型化の要望が常にあると共に、様々な撮影状況に対応するために多機能化する傾向が近年顕著である。
【０００３】
例えば、この種の従来の撮影機器においては、撮影光学系を構成する複数の光学レンズのそれぞれを適宜目的に応じて駆動するために複数の駆動機構部を有しており、これら複数の駆動機構を駆動制御して、ズーム機能やフォーカス調節機能等を実現している。また、これら各種の機能をユーザーの要望に応じて自由に実行するために、撮影機器本体若しくはレンズ鏡筒の外装部等には、複数の操作部材が設けられている。
【０００４】
従来の撮影機器においては、ズーム操作やフォーカス調節操作を実行するための操作部材として、例えばレンズ鏡筒における撮影光学系の光軸周りに回動自在に設けた複数の円環状の操作部材や、レンズ鏡筒若しくはカメラボディの外装部等に設けた押圧式ボタンやレバー回動式若しくはスライド摺動式等の操作部材等が設けられている。そして、従来の撮影機器においては、使用者（ユーザー）が、これら各種の操作部材を適宜必要に応じて操作することによって、電動によるズーム制御やオートフォーカス制御を行なうことができるように構成されている。
【０００５】
これら複数の操作部材を用いて撮影を行なうのに際しては、例えば近接撮影等を行なう際の微細なフォーカス調節操作や、人物，風景撮影等を行なう際の厳密なフレーミング操作等は、電動による粗調整操作に加えて最終的に使用者が手動操作または微調操作にて行ないたいという要望がある。
【０００６】
一方、近年においては、撮影機器の小型化に伴って、撮影機器に適用されるレンズ鏡筒自体も小型化される傾向にある。したがって、例えば撮影機器本体やレンズ鏡筒の外装面等に複数の操作部材を従来の形態と同様に配設した場合、それらの操作部材の操作性が損なわれてしまうことが考えられる。
【０００７】
例えば、従来の撮影機器におけるレンズ鏡筒においては、撮影光学系の光軸周りに回動する円環状操作部材を光軸方向に隣接させて複数設けた形態のものがある。このような構成の場合、各円環状操作部材同士の間隔が近接して配置されていると、一方のみを操作しようとした時に、誤って二つの操作部材を同時に操作してしまう等の誤操作の可能性が考えられる。
【０００８】
具体的には、従来の撮影機器におけるレンズ鏡筒において、例えばズームリングとフォーカスリングとを光軸方向に近接させて配置した構成を考えてみる。この構成の場合、例えばズーミング操作を行なうために使用者が手指を用いてズームリングのみを操作しようとした時、その同じ手指がフォーカスリングにも同時に触れてしまうことがある。すると、使用者は上記二つの円環状操作部材を同時に回動させてしまうといった誤操作をしてしまうという可能性がある。
【０００９】
このように操作したい項目や操作の速度や粗調、微調などは要求が増えるのに対し、操作部が小さくなって自由度が減ってきている現実がある。同時に、どのような操作が、どのような制御になるか分かり難くなっている。
【００１０】
そこで、従来の撮影機器におけるレンズ鏡筒においては、例えば従来の円環状の回動式操作部材に代えて、これら従来のものとは異なる形態の操作部材について、例えば特開２０１０−１１７４４４号公報等によって種々の提案が行なわれている。
【００１１】
上記特開２０１０−１１７４４４号公報によって開示されている撮影機器におけるレンズ鏡筒は、レンズ鏡筒に設ける操作部材として、従来の形態の回動操作部材に代えてタッチパッドを配設するようにして設計の自由度を上げている。
【先行技術文献】
【特許文献】
【００１２】
【特許文献１】特開２０１０−１１７４４４号公報
【発明の概要】
【発明が解決しようとする課題】
【００１３】
ところが、上記特開２０１０−１１７４４４号公報に開示されている手段では、操作の簡単化，直感的な操作，微調整のし易さ等は考慮されていなかった。
【００１４】
本発明は、上述した点に鑑みてなされたものであって、その目的とするところは、簡単な操作で直感的に微調，粗調が切り換えられる撮影パラメータの制御方法，その制御方法を備えた撮影機器を提供することである。
【課題を解決するための手段】
【００１５】
上記目的を達成するために、本発明の一態様の撮影機器は、被写体の光学像を結像させる撮影光学系と上記被写体の光学像を受けて光電変換し画像信号を出力する撮像素子とからなる撮像部と、上記撮像部から出力された画像信号を視認可能に表示する表示部と、ズーム操作を行う操作部材と、上記被写体像を拡大若しくは縮小するズーム制御手段と、上記撮像部から出力される画像信号と特定の操作信号を受けて上記表示部の表示制御と上記ズーム制御を実行する信号処理制御部と、を具備し、上記信号処理制御部は、上記表示部に表示された範囲で上記ズーム制御の微調整を行う。
【００１６】
また、本発明の撮影機器の制御方法は、撮像部は撮影光学系により被写体の光学像を結像しこの被写体の光学像を撮像素子により受光して光電変換を行って画像信号を出力し、表示部は上記撮像部から出力された画像信号を視認可能に表示し、操作部材はズーム操作を行い、ズーム制御手段は上記被写体像を拡大若しくは縮小するズーム制御を行い、信号処理制御部は上記撮像部から出力される画像信号と特定の操作信号を受けて上記表示部の表示制御と上記ズーム制御とを実行し上記表示部に表示された範囲で上記ズーム制御の微調整を行う。
【発明の効果】
【００１７】
本発明によれば、簡単な操作で直感的に微調，粗調が切り換えられる撮影パラメータの制御方法，その制御方法を備えた撮影機器を提供することができる。
【図面の簡単な説明】
【００１８】
【図１】本発明の第１の実施形態の撮影機器（カメラ）の内部主要構成の概略を示すブロック構成図
【図２】図１の撮影機器（カメラ）を用いて撮影を行なう際の撮影状況の概念図
【図３】図１の撮影機器（カメラ）におけるカメラ制御の処理シーケンスを示すフローチャート
【図４】図３の処理シーケンスのうちのサブルーチン（ステップＳ１１７の処理）を示すフローチャート
【図５】図１の撮影機器（カメラ）によって図２に示す状況を撮影対象とする際の撮影範囲を示す概念図
【図６】図１の撮影機器（カメラ）において、ズーム微調モードで動作している際のライブビュー画像表示の一例を示し、ズーム微調モードで動作中のライブビュー画像と、その状況下においてズーム微調整のための所望のズーム範囲を設定操作している際のようすを示す図
【図７】図５の設定操作の結果、変化した後のライブビュー画像の表示例を示す図
【図８】本発明の第２の実施形態の撮影機器（カメラ）におけるカメラ制御処理シーケンスを示すフローチャート
【図９】本発明の第２の実施形態の撮影機器（カメラ）における撮影動作時の表示部の表示例であって、撮影機器（カメラ）の表示部に表示されるラブビュー画像の一例を示す図
【図１０】本発明の第２の実施形態の撮影機器（カメラ）におけるズーム微調モード時のラブビュー画像の一例を示し、ズーム微調モードへと切り換えた直後の表示部の表示例を示す図
【図１１】本発明の第２の実施形態の撮影機器（カメラ）におけるズーム微調モード時において設定操作中の状態を示し、図１０の状態から望遠側（長焦点側；テレ側）へズーム操作を行った場合の表示部の表示例を示す図
【図１２】本発明の第２の実施形態の撮影機器（カメラ）におけるズーム微調モード時において設定操作中の状態を示し、図１０の状態から広角側（短焦点側；ワイド側）へズーム操作を行った場合の表示部の表示例を示す図
【図１３】本発明の第２の実施形態の撮影機器（カメラ）におけるズーム微調モード時にズーム駆動制御がなされた後の表示部１８の表示状態の例を示し、図１１の後の状態、一方のズーム端を図１０のズーム位置に、他方のズーム端をテレ方向に回動させた図１１の設定とした場合に、そのズーム範囲の略中心にズーム位置を設定した際の表示画面の例を示す図
【図１４】本発明の第２の実施形態の撮影機器（カメラ）におけるズーム微調モード時にズーム駆動制御がなされた後の表示部１８の表示状態の例を示し、図１２の後の状態、即ち一方のズーム端を図１０のズーム位置に、他方のズーム端をワイド方向に回動させた図１２の設定とした場合に、そのズーム範囲の略中心にズーム位置を設定した際の表示画面の例を示す図
【図１５】本発明の第２の実施形態の撮影機器（カメラ）におけるズーム微調モード時のフォーカスリングのリング回転量と画角の変化量との関係を示す図
【図１６】本発明の第２の実施形態の撮影機器（カメラ）におけるズーム微調モード時のフォーカスリングのリング回転速度と画角変化速度との関係を示す図
【発明を実施するための形態】
【００１９】
以下、図示の実施の形態によって本発明を説明する。以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００２０】
以下に説明する本発明の各実施形態は、例えば光学レンズ等からなる撮影光学系によって結像される光学像（被写体像）を固体撮像素子等を用いて光電変換し、この光電変換処理の結果により得られた画像信号を、静止画像や動画像を表わすデジタル画像データに変換し、その画像データを記録媒体に記録し、また記録媒体に記録されたデジタル画像データに基いて静止画像や動画像を表示装置を用いて表示し得るように構成される撮影機器（カメラ）に適用した場合の例示である。
［第１の実施形態］
【００２１】
まず、本発明の第１の実施形態の撮影機器（以下、単にカメラという）の概略的な構成について以下に説明する。図１は、本発明の第１の実施形態の撮影機器（カメラ）の内部主要構成の概略を示すブロック構成図である。
【００２２】
本実施形態のカメラ１は、図１に示すように、カメラボディ１０とレンズ鏡筒２０とによって構成されている。本カメラ１は、カメラボディ１０に対してレンズ鏡筒２０が着脱自在に構成されたいわゆるレンズ交換式カメラである。本実施形態においては、撮影機器としてレンズ交換式カメラを例に挙げて説明するが、本発明を適用し得る撮影機器であるカメラとしては、この形態に限られることはなく、例えばカメラボディ１０とレンズ鏡筒２０とが一体に構成された形態のレンズ固定式のカメラであっても全く同様に適用することができる。
【００２３】
カメラボディ１０は、信号処理制御部１１と、ボディ側通信部１２と、撮像素子１３と、記録部１４と、操作部１５と、一時記録部１６と、表示部１８と、タッチパネル１８ｂと、時計部１９と、顔検出部３１等を有して構成されている。
【００２４】
信号処理制御部１１は、本カメラ１の全体の動作を統括的に制御する制御部としての機能を備え、各種構成ユニットを制御する制御信号を処理すると共に、撮像素子１３によって取得した画像信号（画像データ）についての画像信号処理等を行う信号処理部としての機能を備えた回路部である。
【００２５】
信号処理制御部１１の内部には、フォーカス処理部１１ａと、画像処理部１１ｂと、タッチ判定部１１ｃと、表示制御部１１ｄ等の各種の回路部が具備されている。
【００２６】
このうち、フォーカス処理部１１ａは、撮像素子１３から出力される画像信号を受けてコントラスト検出等を行なって、焦点調節処理，またはピント位置判定，遠近判定（測距）処理等の画像信号処理を行なう回路部である。
【００２７】
画像処理部１１ｂは、撮像素子１３によって取得された画像データに基いて各種の画像処理を施す処理回路部である。
【００２８】
タッチ判定部１１ｃは、タッチパネル１８ｂからの指示入力信号を受けて、その指示内容を判定する信号処理回路である。例えば、表示部１８の表示画像上のアイコン表示等が表示されている時に、使用者（ユーザー）が、表示中のアイコン表示等に対応するタッチパネル１８ｂ上の位置をタッチ操作，スライド操作等を行なうと、それらの操作を判定する。タッチ判定部１１ｃによる判定結果は、信号処理制御部１１へと伝達され、これを受けて信号処理制御部１１は表示中のアイコン表示等に応じた制御処理を実行する。
【００２９】
表示制御部１１ｄは、表示部１８を駆動制御する制御回路部である。表示制御部１１ｄは、撮像素子１３及びレンズ２６（後述する）等からなる撮像部によって生成され取得された画像データ（画像信号）を受けて、これを表示部１８の表示パネル上に画像として視認可能に表示させるための制御を行う。
【００３０】
ここで、上記撮像部は、撮影対象とする対象物（被写体）からの光を透過させて被写体の光学像を結像させる撮影光学系であるレンズ２６等（後述する）と、このレンズ２６によって結像された被写体像を受けて光電変換処理を行う撮像素子１３とを含んで構成されるユニットである。
【００３１】
撮像素子１３は、例えばＣＣＤ（Ｃｈａｒｇｅ  Ｃｏｕｐｌｅｄ  Ｄｅｖｉｃｅ；電荷結合素子）等の回路素子を用いたＣＣＤイメージセンサー若しくはＭＯＳ（Ｍｅｔａｌ  Ｏｘｉｄｅ  Ｓｅｍｉｃｏｎｄｕｃｔｏｒ；金属酸化膜半導体）等を用いたＭＯＳ型イメージセンサー等の固体撮像素子である光電変換素子等が適用される。撮像素子１３によって生成されたアナログ画像信号は、信号処理制御部１１のフォーカス処理部１１ａ，画像処理部１１ｂへと出力されて各種の画像信号処理が行なわれる。
【００３２】
記録部１４は、撮像素子１３から出力され上記画像処理部１１ｂにて処理済みの画像信号を受けて、これを所定の形態に変換する信号処理回路部と、この信号処理回路部によって生成された画像データを記録する記録媒体と、この記録媒体を駆動制御する制御部等を含んで構成される構成部である。ここで行われる画像信号の変換処理としては、例えば信号圧縮処理等を行って記録形態の画像データ変換する処理や、記録媒体に記録済みの画像データを読み込んで伸長処理等を施して画像信号を復元させる信号処理等である。なお、この種の圧縮伸長処理については、記録部１４に含まれる信号処理回路部で行なう形態に限られることはなく、例えば信号処理制御部１１内に同様の信号処理回路部を設け、それによって実行するような形態としてもよい。
【００３３】
一時記録部１６は、撮像素子１３によって取得された画像データ等を一時的に記録しておく回路部であって、例えばＥＥＰＲＯＭ（Electrically Erasable Programmable Read-Only Memory），ＲＡＭ（Random Access Memory）等の半導体メモリ素子等が適用される。
【００３４】
操作部１５は、カメラ１のカメラボディ１０の外装部分に設けられる通常の押しボタン式若しくはスライド式，ダイヤル式等の形態の各種の操作部材であって、例えばシャッターリリースボタン（特に図示せず）等、各種の一般的な操作部材を含めた操作用の構成部を指すものである。なお、操作部１５に含まれる操作部材として、例えばいわゆる四方向操作部材等もある。この四方向操作部材は、例えば表示部１８上に表示されるメニュー画面の項目選択を行なったり、表示画像上の位置を指示するような場合にも用いられる。四方向操作部材は、後述のタッチパネル１８ｂに代わる操作部材として機能する。四方向操作部材からの指示信号は信号処理制御部１１へと出力され、この信号処理制御部１１内の制御回路によって各種の制御が行われる。
【００３５】
また、本実施形態のカメラ１においては、上記操作部１５とは別の操作用の操作部材として、タッチパネル１８ｂを有している。このタッチパネル１８ｂは、表示部１８の表示面上に配置されており、使用者（ユーザー）が表示部１８に表示中の画像に対応する所定領域や各種アイコン表示に相当する領域等に対してタッチ操作やスライド操作等を行うことによって、各種の操作指示信号が発生するように構成された操作部材である。このタッチパネル１８ｂからの指示入力信号は、信号処理制御部１１のタッチ判定部１１ｃに送られて、その操作入力が判定される。
【００３６】
表示部１８は、信号処理制御部１１の表示制御部１１ｄによって制御される。即ち、表示部１８は、例えば撮像素子１３から出力され信号処理制御部１１の画像処理部１１ｂによって処理済みの画像データ等に基いてライブビュー画像を表示したり、記録部１４により伸長処理された画像データ等に基いて記録済み画像の再生表示を行ったり、記録部１４等に予め用意された各種アイコンデータ等に基くアイコンやメニュー画面等を表示する表示ユニットである。表示部１８は、例えば液晶ディスプレイ（ＬＣＤ；Liquid Crystal Display），プラズマディスプレイ（ＰＤＰ；Plasma Display），有機エレクトロルミネッセンスディスプレイ（ＯＥＬ；Organic Electro-Luminescence Display）等の表示パネルと、その駆動回路等を含んで構成される。
【００３７】
換言すると、表示部１８は、再生モード時には表示制御部１１ｄの制御下において、撮影記録済みの画像データに基く画像を再生表示する表示装置となる一方、撮影モード時には表示制御部１１ｄの制御下において、撮像素子１３から出力され画像処理部１１ｂを経て処理済み画像データに基いて順次連続的にリアルタイムの画像を表示し続けることによって、撮影範囲を観察，確認を行なう電子ビューファインダとしても機能する。なお、本実施形態においては、表示部１８の表示パネルをカメラボディ１０の背面側に設けた例を示しているが、表示部１８の構成例としては、このような形態に限られることはない。例えば、電子ビューファインダ（ＥＶＦ；Electric View Finder）として利用し得る小型の表示パネルで構成される表示部とする形態としてもよい。さらに、背面に設ける表示部と小型表示部とを設け、両者を切り換えて使用するような形態としてもよい。
【００３８】
時計部１９は、いわゆるリアルタイムクロック（Real-Time Clock；ＲＴＣ）と言われるコンピュータの内部時計である。時計部１９は、例えばデータファイル等の日時情報の付与を行ったり、制御処理中における計時や時間制御等の際に利用される。
【００３９】
顔検出部３１は、撮像素子１３から出力される画像データに基いて表示される画像の中に、人間の顔若しくは特定種類の動植物等（例えば犬，猫，鳥，花等）の被写体に対応する画像が存在するかどうかを検出するための被写体像検出回路部である。顔検出部３１としては、顔画像を検出するだけでなく、これに加えて、例えば色検出やパターン検出等を行なうものを含めてよい。なお、信号処理制御部１１は、顔検出部３１によって検出された被写体像が撮影画面内で移動しても、その像パターンを常に追尾し続け、かつフォーカスを合わせ続ける制御等を行う機能を有する。
【００４０】
ボディ側通信部１２は、後述するレンズ側通信部２２との間で電気的に接続することによって、カメラボディ１０とレンズ鏡筒２０との間で制御信号，情報信号等をやり取りするカメラボディ１０側の通信用信号処理回路部である。
【００４１】
次に、レンズ鏡筒２０は、レンズ制御部２１と、レンズ側通信部２２と、レンズ側操作部２３と、ズーム駆動部２４ａと、フォーカス駆動部２４ｂと、絞り駆動部２４ｃと、ズームレンズ位置検出部２５ａと、フォーカスレンズ位置検出部２５ｂと、第１回動検出部２７ａと、第２回動検出部２７ｂと、撮影光学系であるレンズ２６等によって主に構成されている。
【００４２】
レンズ制御部２１は、上記カメラボディ１０側の信号処理制御部１１の制御下においてレンズ鏡筒２０側の各構成ユニットの動作を制御する制御部である。なお、このレンズ制御部２１を省略して構成することもできる。その場合には、レンズ鏡筒２０側の制御は、カメラボディ１０側の信号処理制御部１１が担うようにすればよい。
【００４３】
レンズ側通信部２２は、上記ボディ側通信部１２との間で電気的に接続することによって、レンズ鏡筒２０とカメラボディ１０との間で制御信号，情報信号等をやり取りするレンズ鏡筒２０側の通信用信号処理回路部である。
【００４４】
レンズ側操作部２３は、レンズ鏡筒２０側に設けられる各種の操作部材であり、具体的には例えば、手動によるフォーカス調節操作を行なうフォーカスリング２３ａ（第１操作部材，第１操作リング）と、手動によるズーム操作を行なうズームリング２３ｂ（第２操作部材，第２操作リング）等である。これら二つの操作リング２３ａ，２３ｂは、例えば円環状（リング状）に形成され、レンズ鏡筒２０の外周側に外周面を露呈するように配設され、かつ当該レンズ鏡筒２０の撮影光学系であるレンズ２６の光軸周りに回動し得るように設けられた円環状操作部材である。そして、これら二つの操作リング２３ａ，２３ｂは光軸方向に並設され、互いに近接する位置に設けられている。
【００４５】
上述したように、本実施形態のカメラ１におけるレンズ鏡筒２０においては、二つの操作リング２３ａ，２３ｂのうち、一方をフォーカスリング２３ａとし、他方をズームリング２３ｂとしている。ここで、フォーカスリング２３ａは、レンズ２６の光軸周りに正逆方向に無限に回転し得るように構成されている。これに対し、ズームリング２３ｂは、レンズ２６の光軸周りに正逆方向に所定の範囲のみに回動し得るようになっている。そして、ズームリング２３ｂは、一方向へ所定の範囲内で回動させると、例えば長焦点側へのズーミングが実行され、また、他方向へ所定の範囲内で回動させると、例えば短焦点側へのズーミングが実行されるように構成されている。つまり、ズームリング２３ｂは、回動操作することによってズーム動作のオンオフを行うズームスイッチとして機能し、回動方向に応じて所望のズーム操作を行い得るように構成されている。なお、ズーム制御，ズーム操作とは、撮影光学系によって結像される被写体像の拡大若しくは縮小、即ち被写体像の変倍を行うための制御，操作をいう。
【００４６】
この場合において、ズームリング２３ｂの一方向若しくは他方向への所定の範囲内において、例えば所定範囲内の中間点まで回動させると一段階目のスイッチがオン状態になり、さらに所定範囲内（即ち許容回動範囲内）の端部まで回動させると二段階目のスイッチがオン状態になる、といった構成としてもよい。このような構成とすることにより、段階スイッチをズーミング速度の切換制御に利用するといったことが可能になる。また、その場合の切換段数は任意に設定できるので、二段階に限られることはなく、三段階以上の多段スイッチとして構成してもよい。
【００４７】
さらに、ズームリング２３ｂは、上述の構成に限られることはなく、フォーカスリング２３ａと同様に、レンズ２６の光軸周りに正逆方向に無限に回転し得るように構成してもよい。
【００４８】
このように構成される本実施形態のカメラ１におけるズーム制御は、ズームリング２３ｂの回動操作によってズームスイッチがオン状態とされて開始する。このときのズーミング速度は、ズームリング２３ｂの回動量に応じて制御される。
【００４９】
また、ズームリング２３ｂは、基準となる所定の位置（中立位置）が常に維持されるように構成されている。したがって、使用者は、ズーミング操作を行う際には、表示部１８のファインダ画面等を観察しながらズームリング２３ｂの回動操作を行う。このズームリング２３ｂの回動操作によって所望のフレーミングが得られた時点で、例えばズームリング２３ｂから手を離すと、ズームリング２３ｂは、元の中立位置に戻り、よってズーム動作がオフ状態となる。このようなズーム制御は、従来一般的な形態のカメラによるものと同様の電動ズーム制御である。このような従来の電動ズーム制御では、ズーム微調整を行うには不向きであり、本実施形態においては粗調整操作を行う際に利用される。
【００５０】
これに加えて、本実施形態のカメラ１においては、設定可能なズーム範囲（短焦点側のズーム端から長焦点側のズーム端までの範囲）のうちから所定の範囲のズーム範囲を設定し、その設定ズーム範囲内にて詳細なズーム制御を行って厳密なフレーミングを設定するためにズーム設定の微調整を行い得る動作モードとしてズーム微調モードを備えている。このズーム微調モードは、ズームリング２３ｂを用いた通常のズーミング操作と、表示部１８の表示画面においてタッチ操作とによって所定のズーム範囲を設定した後に他の操作部材、例えばフォーカスリング２３ａを用いてズーム設定の微調整を行って詳細なズーム制御を行うというものである。即ち、このズーム微調モードに設定されてズーム制御が実行されている状態では、フォーカスリング２３ａは、本来のフォーカシング操作のための操作部材とは異なる機能、即ちズーム微調整操作を行うためのズーム微調用の操作部材としても機能するように制御される。ズーム微調モード時の作用の詳細については後述する。
【００５１】
なお、上記二つの操作リング２３ａ，２３ｂ以外のレンズ側操作部２３としては、例えば通常撮影と近接撮影等の撮影モード切換用の操作部材等、その他の操作部材が設けられていてもよい。これらその他の操作部材については、本発明に直接関連しない部分であるので、その図示及び詳細説明は省略する。
【００５２】
第１回動検出部２７ａは、上記フォーカスリング２３ａ（第１操作リング）の回転量、即ち操作リングの回転の機械的変位量を電気信号に変換し、この信号を処理して回転方向や回転量等を検出するセンサ等を含む回路部である。また、第２回動検出部２７ｂは、上記ズームリング２３ｂ（第２操作リング）の回転やスイッチオンオフ等の動作状況を検出する回路部である。第１回動検出部２７ａ，第２回動検出部２７ｂとしては、例えばロータリエンコーダ等が適用される。
【００５３】
ズーム駆動部２４ａは、レンズ制御部２１の制御下においてレンズ２６内のズーム駆動機構部２６ａ（後述する）のズーム駆動制御を行なう制御回路部でありズーム制御手段である。フォーカス駆動部２４ｂは、同様にレンズ制御部２１の制御下においてレンズ２６内のフォーカス駆動機構部２６ｂ（後述する）の駆動制御を行なう制御回路部でありフォーカス駆動手段である。なお、フォーカシング方法については、必ずしもレンズを動かさず、撮像素子を動かす場合もある。絞り駆動部２４ｃは、同様にレンズ制御部２１の制御下においてレンズ２６内の絞り駆動機構部２６ｃ（後述する）の駆動制御を行なう制御回路部である。
【００５４】
ズームレンズ位置検出部２５ａは、ズーム光学系の光軸上の位置を検出する位置検出回路である。また、フォーカスレンズ位置検出部２５ｂは、フォーカス光学系の光軸上の位置を検出する位置検出回路である。なお、上記二つの位置検出部（２５ａ，２５ｂ）は、例えば初期位置判定用のスイッチやフォトカプラ等を含んで構成される。
【００５５】
レンズ２６は、上述したように撮影対象となる対象物（被写体）からの光を透過させて被写体の光学像を結像させるための複数の光学レンズ等からなる撮影光学系と、この撮影光学系の個々の光学レンズをそれぞれ保持する複数の鏡筒部材と、これら複数の鏡筒部材をそれぞれ個別に光軸方向に進退させる駆動用鏡筒等のほか、ズーム駆動機構部２６ａと、フォーカス駆動機構部２６ｂと、絞り駆動機構部２６ｃ等を具備して構成される。なお、撮影光学系は複数の光学レンズからなり、例えば変倍動作（ズーミング）に寄与するズーム光学系，焦点調節動作（フォーカシング）に寄与するフォーカス光学系，レンズ収差補正用の光学系等によって構成される。
【００５６】
ズーム駆動機構部２６ａは、撮影光学系のうちズーム動作に関与するズーム光学系を駆動するための駆動源（アクチュエータ）やその駆動力を伝達する駆動機構等を含む駆動ユニットである。
【００５７】
フォーカス駆動機構部２６ｂは、撮影光学系のうちフォーカス動作に関与するフォーカス光学系を駆動するための駆動源（アクチュエータ）やその駆動力を伝達する駆動機構等を含む駆動ユニットである。
【００５８】
絞り駆動部２４ｃは、撮影光学系を透過する光束の光量を調整するための絞り機構を駆動する駆動源（アクチュエータ）やその駆動力を伝達する駆動機構等を含む駆動ユニットである。
【００５９】
なお、カメラボディ１０，レンズ鏡筒２０は、上述した構成部以外にもその他の各種構成ユニット等を有して構成されているものであるが、それらの各種構成ユニット等は、本発明に直接関連しない構成であるので、従来の一般的なカメラと同様の構成を具備するものとして、その詳細説明及び図示を省略している。
【００６０】
例えば、撮影光学系の光路を開閉し、撮影動作の際に撮影光学系を透過する光束の光量を調整するためのシャッター機構については図示及び説明を省略しているが、本実施形態のカメラ１においても、従来のカメラと同様の通常のシャッター機構を有している。このシャッター機構は、カメラボディ１０側に配設するフォーカルプレーンシャッターでもよいし、レンズ鏡筒２０側に配設するレンズシャッターでもよい。シャッター機構がカメラボディ１０側に配設されている場合には、シャッター機構は主にボディー側の制御部によって制御される。また、シャッター機構がレンズ鏡筒２０側に配設されている場合には、シャッター機構は主にボディー側の制御部の制御下においてレンズ制御部２１を介して制御される。
【００６１】
このように構成された本実施形態のカメラ１を用いて撮影を行なう際の作用を以下に説明する。図２は、本実施形態のカメラ１を用いて撮影を行なう際の撮影状況の概念図である。本実施形態のカメラ１を手に持つ使用者（ユーザー）１００が、図２に示すように、主要な撮影対象としての二人の人物等１０１を含む光景を撮影するものとする。この場合において、本カメラ１による撮影範囲内には、主要撮影対象１０１と花等１０２と山等１０３が存在する状況を想定している。
【００６２】
図３は、本実施形態のカメラにおけるカメラ制御の処理シーケンスを示すフローチャートである。図４は、図３の処理シーケンスのうちのサブルーチン（ステップＳ１１７の処理）を示すフローチャートである。
【００６３】
まず、本実施形態のカメラ１が電源オン状態とされて動作可能な起動状態にあるものとする。この状態にあるとき、ステップＳ１０１において、信号処理制御部１１は、現在設定されている動作モードが撮影モードにあるか否かの確認を行なう。ここで、撮影モードに設定されていることが確認された場合には、次のステップＳ１０２の処理に進む。また、撮影モード以外に設定されていることが確認された場合には、ステップＳ１５１の処理に進む。
【００６４】
ステップＳ１０２において、信号処理制御部１１は、撮像素子１３及びレンズ２６等からなる撮像部と表示部１８等を制御して画像データの取得処理及びライブビュー画像表示処理を実行する。その後、ステップＳ１１１の処理に進む。
【００６５】
続いて、ステップＳ１１１において、信号処理制御部１１は、ボディ側通信部１２を制御してレンズ側通信部２２を介してレンズ鏡筒２０のレンズ制御部２１との間でレンズ通信処理を行なう。このレンズ通信処理において、カメラボディ１０に装着されているレンズ鏡筒２０の種類等のレンズ情報の取得等が行われる。
【００６６】
なお、上記レンズ通信処理においては、カメラボディ１０にレンズ鏡筒２０が装着されているか否かの確認や、レンズ交換操作が行なわれたか否か等の確認も合わせて行なう。ここで、例えばボディ側通信部１２とレンズ側通信部２２との通信が確立できない場合には、カメラボディ１０にレンズ鏡筒２０が装着されていないものと判断し、その場合には、信号処理制御部１１は、表示制御部１１ｄを介して表示部１８を制御して、その旨の警告表示等を表示する制御を行ない、これにより使用者（ユーザー）にレンズ鏡筒２０の装着を促す。そして、レンズ装着の確認を待って、レンズ通信処理を実行する。また、レンズ通信処理が行われることによって、現在、カメラボディ１０側の信号処理制御部１１が保持しているレンズ鏡筒２０に関するレンズ情報と、レンズ通信処理の結果、現在カメラボディ１０に装着されているレンズ鏡筒２０側から取得したレンズ情報とが一致しない場合には、レンズ交換操作が行なわれたものと判断し、その場合には、信号処理制御部１１は、新たに取得したレンズ情報を一時記録部１６等に一時記録する等の処理を行なう。その後、ステップＳ１１６の処理に進む。
【００６７】
ステップＳ１１６において、信号処理制御部１１は、通信部１２，２２を介してレンズ制御部２１との通信を行なって、第１回動検出部２７ａ，第２回動検出部２７ｂからの信号を監視して、上記フォーカスリング２３ａ（第１操作リング），上記ズームリング２３ｂ（第２操作リング）が操作されたか否かの確認を行なう。ここで、上記両リング２３ａ，２３ｂの少なくとも一方若しくは両方の操作が確認された場合には、次のステップＳ１１７の処理に進む。また、上記両リング２３ａ，２３ｂのいずれの操作も確認されない場合には、ステップＳ１１８の処理に進む。
【００６８】
次の、ステップＳ１１７において、信号処理制御部１１は、リング操作検出処理のサブルーチン（図４の処理シーケンス）を実行する。その後、ステップＳ１１８の処理に進む。なお、上記ステップＳ１１７の処理の詳細は、図４を用いて後述する。
【００６９】
次に、ステップＳ１１８において、信号処理制御部１１は、現在設定されている撮影処理に関する動作モードが静止画撮影モードに設定されているか否かの確認を行なう。ここで、静止画撮影モードに設定されていることが確認された場合には、次のステップＳ１１９の処理に進む。また、静止画撮影モード以外の動作モードが設定されている場合には、ステップＳ１２１の処理に進む。
【００７０】
ステップＳ１１９において、信号処理制御部１１は、所定の静止画撮影処理を実行する。この静止画撮影処理のシーケンスは、従来一般のカメラで行われる処理と同様である。したがって、その詳細説明は省略する。
【００７１】
上述のステップＳ１１８の処理にて、静止画撮影モード以外の動作モード設定が確認されて、ステップＳ１２１の処理に進むと、このステップＳ１２１において、信号処理制御部１１は、現在設定されている撮影処理に関する動作モードが動画撮影モードに設定されているか否かの確認を行なう。ここで、動画撮影モードに設定されていることが確認された場合には、次のステップＳ１２２の処理に進む。また、動画撮影モード以外の動作モード、即ち静止画撮影モードが設定されている場合には、上述のステップＳ１０１の処理に戻る。
【００７２】
ステップＳ１２２において、信号処理制御部１１は、所定の動画撮影処理のシーケンスを開始する。この動画撮影処理のシーケンスも、従来一般のカメラで行われる処理と同様である。したがって、その詳細説明は省略する。
【００７３】
なお、上述のステップＳ１２２の動画撮影処理が開始されると、次のステップＳ１２３において、信号処理制御部１１は、操作部１５からの指示信号を監視し、その処理の間中、常に動画撮影処理の終了指示信号の確認を続ける。ここで、動画撮影処理の終了を指示する指示信号が確認された場合には、ステップＳ１２４の処理に進む。また、動画撮影処理終了指示信号が確認されない場合には、上述のステップＳ１０２の処理に戻り、以降の処理を繰り返す。
【００７４】
そして、ステップＳ１２４において、信号処理制御部１１は、動画撮影処理の終了処理を実行した後、記録部１４を制御して取得済みの画像データを記録する処理を実行する。その後、ステップＳ１０１の処理に戻る。
【００７５】
一方、上述のステップＳ１０１の処理にて、カメラ１に設定されている動作モードが撮影モード以外であることが確認されて、ステップＳ１５１の処理に進むと、このステップＳ１５１において、信号処理制御部１１は、現在設定されている動作モードが再生モードであるか否かの確認を行なう。ここで、再生モードに設定されていることが確認された場合には、所定の再生処理シーケンスへ移行するものとし、ステップＳ１５２の処理に進む。
【００７６】
ステップＳ１５２において、信号処理制御部１１は、記録部１４を制御して記録媒体に記録済みの画像データのサムネイル画像データを読み出して、所定の信号処理を施した後、表示制御部１１ｄを介して表示部１８を制御してファイル一覧表示処理を実行する。なお、このファイル一覧表示処理に代えて、次のような表示処理を実行するようにしてもよい。即ち、カメラ１が再生モードにあることが確認されると、信号処理制御部１１は記録部１４を制御して記録媒体に記録済みの画像データのうち最新画像データを読み出して、所定の信号処理を施した後、表示制御部１１ｄを介して表示部１８を制御して最新画像の再生処理を実行するようにしてもよい。その後、ステップＳ１５３の処理に進む。
【００７７】
続いて、ステップＳ１５３において、信号処理制御部１１は、操作部１５若しくはタッチパネル１８ｂからの指示信号を監視して、ファイル選択指示信号が発生したか否かの確認を行なう。ここで、ファイル選択指示信号は、表示中のファイル一覧のうちのいずれかを選択する旨の指示信号である。なお、最新画像表示の場合には、表示中の画像データの一つ前の画像データ若しくは記録済み画像データ中の最も古い画像データのいずれかを選択指示する指示信号となる。このステップＳ１５３の処理にて、信号処理制御部１１がファイル選択指示信号の発生を確認した場合には、次のステップＳ１５４の処理に進む。また、ファイル選択指示信号が確認されない場合には、ステップＳ１５６の処理に進む。
【００７８】
次に、ステップＳ１５４において、信号処理制御部１１は、記録部１４を制御して記録媒体に記録済みの画像データのうち上述のステップＳ１５３の処理にて選択された画像データを読み出して、所定の信号処理を施した後、表示制御部１１ｄを介して表示部１８を制御して選択画像の再生処理を実行する。その後、ステップＳ１５５の処理に進む。
【００７９】
ステップＳ１５５において、信号処理制御部１１は、操作部１５若しくはタッチパネル１８ｂからの指示信号を監視して、選択画像の表示を終了させる旨の指示信号が発生したか否かの確認を行なう。このステップＳ１５５において、選択画像表示終了指示信号が確認されない場合には、上述のステップＳ１５４の処理に戻る。即ち、同じ選択画像の表示処理を続行し続ける。また、選択画像表示終了指示信号が確認された場合には、ステップＳ１５２の処理に戻り、以降の処理を繰り返す。
【００８０】
一方、上述のステップＳ１５３の処理にて、ファイル選択指示信号が確認されずにステップＳ１５６の処理に進むと、このステップＳ１５６において、信号処理制御部１１は、操作部１５若しくはタッチパネル１８ｂからの指示信号を監視して、再生モードの終了指示信号が発生したか否かの確認を行なう。ここで、再生モード終了指示信号は、例えばモード切換操作若しくは電源オフ操作等である。このステップＳ１５６において、再生モード終了指示信号が確認されない場合には、上述のステップＳ１５２の処理に戻り、以降の処理を繰り返す。また、再生モード終了指示信号が確認された場合には、ステップＳ１０１の処理に戻り、以降の処理を繰り返す。なお、再生モード終了指示信号の発生トリガーとして、電源オフ操作が行なわれた場合には、全ての動作を終了するものとして、本カメラ制御処理シーケンスを終了する。この処理シーケンスについては、図３においては図面の煩雑化を避けるために図示を省略している。
【００８１】
他方、上述のステップＳ１５１の処理にて再生モード以外に設定されていることが確認された場合には、他の動作モードへの移行処理シーケンスを実行する。ここで、他の動作モードとしては、例えば画像通信モード等があるが、これらの他の動作モードについては、本発明に直接関係しないので、その詳細説明は省略し、再生モード以外に設定されている場合の処理シーケンスとしては、便宜的に上述のステップＳ１０１の処理に戻るようにしている。
【００８２】
本実施形態のカメラ１における上述のような一連の再生処理シーケンスは、従来一般的な形態のカメラと同様である。
【００８３】
なお、本実施形態のカメラ１の信号処理制御部１１は、常に操作部１５若しくはタッチパネル１８ｂ等からの指示信号を監視している。そして、上記処理シーケンス中のいずれの時点においても、操作部１５若しくはタッチパネル１８ｂ等からの指示信号が確認された場合には、確認した指示信号に対応する処理を割り込ませるように構成している。したがって、カメラ１の動作状況に関らず、所定の割り込み信号（例えば電源オフ信号，リセット信号，動作切換信号等）が確認された場合には、実行中の処理を中断させ、若しくは実行中の処理の終了を待って、割り込み指示に応じた処理（例えば電源オフ処理，リセット処理，動作切換処理等）を実行する。
【００８４】
次に、本実施形態のカメラにおけるリング操作検出処理のサブルーチン（図３のステップＳ１１７の処理）の詳細を、図４を用いて以下に説明する。
【００８５】
上述したように、上述の図３のステップＳ１１６の処理にて、上記二つの操作リング２３ａ，２３ｂのいずれか若しくは両方が操作されて、ステップＳ１１７の処理、即ち図４の処理シーケンスに移行する。
【００８６】
まず、図４のステップＳ３０１において、信号処理制御部１１は、上述のステップＳ１１６の処理による検出結果について、上記二つの操作リング２３ａ，２３ｂが同時に回動操作されたものであるか否かの確認を行なう。ここで、上記二つの操作リング２３ａ，２３ｂの同時回動操作であることが確認された場合には、信号処理制御部１１は、各操作リング２３ａ，２３ｂへの回動操作に対応する制御を禁止した上で、次のステップＳ３１１の処理に進む。ここで、上記二つの操作リング２３ａ，２３ｂの同時回動操作が検出されると、各操作リングの回動操作に対応する制御を禁止しているのは、次のような理由による。即ち、二つの操作リング２３ａ，２３ｂの同時回動操作が検出された場合、その操作が意図したものであるか、誤操作によるものであるかの判断がつかない。そのために、その同時回動操作が誤操作によるものであったとしても、現在設定されているフォーカス設定やズーム設定が意図せずにズレてしまうことを防止するために、この処理ステップの段階では、同時回動操作に対応する制御を禁止している。
【００８７】
一方、ここで、操作リングの同時回動操作ではないことが確認された場合、例えば上記二つの操作リング２３ａ，２３ｂの一方のみの操作が確認された場合には、ステップＳ３０２の処理に進む。
【００８８】
ステップＳ３１１において、信号処理制御部１１は、現在ズーム微調モードに設定されているか否かの確認を行なう。ここで、現在既にズーム微調モードに設定されている場合には、ステップＳ３１２の処理に進む。
【００８９】
続いてステップＳ３１２において、信号処理制御部１１は、現在設定されているズーム微調モードを解除して、通常のズーム制御モードへの設定切り換えを行う。その後、元の処理シーケンス（図３）に戻り、図３のステップＳ１１８の処理に進む。なお、上記ステップＳ３１２の処理にてズーム微調モードの解除処理の前に、表示部１８にその旨（ズーム微調モードを解除して通常ズーム制御モードに切り換える旨）の警告表示を行なうようにして、使用者の諾否を問うようにしてもよい。
【００９０】
一方、上述のステップＳ３１１の処理にて、現在ズーム微調モードに設定されておらず、通常ズーム制御モードが設定されている場合には、ステップＳ３２０の処理に進む。
【００９１】
ステップＳ３２０において、信号処理制御部１１は、ズーム制御をズーム微調モードへと切り換えるズーム微調モード切換処理の実行を開始する。
【００９２】
次いで、ステップＳ３２１において、信号処理制御部１１は、表示制御部１１ｄを介して表示部１８を制御して表示部１８の表示画面に所定のアイコン表示処理を実行する。ここで表示されるアイコンデータは、例えば記録部１４等に予め記録されているデータを用いる。
【００９３】
ここで、ズーム微調モード時のライブビュー画像の表示画面と、その動作時の概念を説明する。図５は、本実施形態のカメラ１によって上述の図２に示す状況を撮影対象とする際の撮影範囲を示す概念図である。図５において、点線で示し符号１８ｗを附した矩形枠は、本実施形態のカメラ１のレンズ鏡筒２０の撮影光学系を最も短焦点端（最広角端）に設定して得られる撮影範囲を示す撮影枠とする。また、図５において、実線で示し符号１８を附した矩形枠を表示部１８の表示画面に表示されるライブビュー画像の表示範囲（撮影範囲；撮影枠）としている。つまり、図５において、表示部１８で示されるライブビュー画像は、本カメラ１のレンズ鏡筒２０によって設定し得るズーム範囲のうち最広角端よりも所定量だけズーミングしている状態を示している。
【００９４】
カメラ１の使用中において、撮影光学系が任意のズーム位置に設定されている状態にある時、図４のステップＳ３２０の処理（ズーム微調モード切換処理）が実行されると、表示部１８の表示画面は、図５の実線で示す符号１８の矩形枠の状態となり、使用者による操作入力待ちの状態になる。このとき、表示部１８の表示画面には、撮影対象のライブビュー画像に重畳させて、表示画面内の所定の領域に、「ズーム微調整しますか？」等の説明表示６３と、「ＯＫ」アイコン６２等が表示される（図４のステップＳ３２１の処理；後述）。
【００９５】
この表示画面の表示中に使用者は、例えばタッチパネル１８ｂを介して上記「ＯＫ」アイコン６２をタッチ操作するか、若しくはカメラボディ１０側の操作部１５に含まれるＯＫボタン（不図示）等を操作することによって、ズーム微調モードへの切り換えを受け入れる。これによって、カメラ１のズーム制御モードはズーム微調モードへと切り換わる。また、使用者がズーム微調モードへの切り換えを受け入れない場合には、使用者は、この表示画面の表示中にその旨の操作、例えばタッチパネル１８ｂを介して上記「ＯＫ」アイコン６２以外の領域の所定の操作、若しくはカメラボディ１０側の操作部１５に含まれる所定の操作部材等を操作することによって、当該処理をキャンセルすることができる
【００９６】
即ち、図４のステップＳ３２２において、信号処理制御部１１は、タッチパネル１８ｂ若しくは操作部１５からの指示信号を監視して、「ＯＫ」指示が生じたか否かの確認を行う。ここで、「ＯＫ」指示が確認された場合には、使用者によってズーム微調モードへの切換処理が受け入れられたものとして、次のステップＳ３２３の処理に進む。また、「ＯＫ」指示が確認されない場合には、使用者によってズーム微調モードへの切換処理が受け入れられなかったものとして、所定のキャンセル処理を実行して、図４の処理シーケンスを抜け、元の処理シーケンス（図３）に戻り、図３のステップＳ１１８の処理に進む。
【００９７】
このようにして、使用者によってズーム微調モードへの切換処理が受け入れられると、続いて、ステップＳ３２３において、信号処理制御部１１は、通信部１２，２２を介してレンズ鏡筒２０のレンズ制御部２１との通信を行う。そして、信号処理制御部１１は、レンズ制御部２１を介してズーム駆動部２４ａを制御してズーム駆動機構部２６ａによるズーム光学系のズーム駆動制御を行なって、ズーム設定を最広角端（ワイド端）に設定する（図６参照）。
【００９８】
続いて、ステップＳ３２４において、信号処理制御部１１は、表示制御部１１ｄを介して表示部１８を制御して表示部１８の表示画面に、ズーム範囲指定するための指示表示、即ちズーム微調モード用のアイコン表示処理を実行する。ここで表示されるアイコンデータは、例えば記録部１４等に予め記録されているデータを用いる。ここで、信号処理制御部１１は、使用者による操作入力待ち状態になる。ここで、使用者は、タッチパネル１８ｂへの二つの点を指定するタッチ操作を行うことで、ズーム微調モード時における所望のズーム範囲を指定する。
【００９９】
ここで、図６，図７は、本実施形態のカメラ１において、ズーム微調モードで動作している際のライブビュー画像表示の一例を示している。このうち、図６は、ズーム微調モードで動作中のライブビュー画像を示し、その状況下においてズーム微調整のための所望のズーム範囲を設定操作している際のようすを示している。また、図７は、図６の設定操作の結果、変化した後のライブビュー画像の表示例を示している
【０１００】
上述したように、図５の状況において、ズーム微調モードへのモード切り換え操作が行われると、表示部１８のライブビュー画像は、図６に示す表示に変更される。即ち、上述の図４のステップＳ３２３の処理にてズーム駆動制御が行われて、ズーム設定が最広角端（ワイド端）に設定される。続いて、ステップＳ３２４の処理にて、ズーム範囲を指定するための所定のアイコン表示処理が実行される。この場合においては、撮影対象のライブビュー画像に重畳させて、表示画面内の所定の領域にズーム微調アイコン６１と、「２点タッチしてください」等の説明表示６４等が表示される（図７参照）。ここで、ズーム微調アイコン６１は、図７に示すように円環形状の操作部材を模した円環部６１ａと、この円環部６１ａの周縁に沿う位置に複数（本例では二つ）の指標６１ｂとからなる。
【０１０１】
この図６の表示画面の表示中に、使用者は手指等を用いて、表示部１８の表示画面上の任意の２点をタッチパネル１８ｂを介してタッチ操作する。例えば図６に示す例では、使用者は手指１００によって、点Ａと点Ｂとの二つの点をタッチ操作している状況を示している。ここで行うタッチ操作は、ズーム微調整のためのズーム範囲を設定する操作になる。つまり、現在設定されているズーム設定は、上述したように最広角端（ワイド端）であり、本カメラ１の撮影光学系によって設定し得る最も広角寄りの撮影範囲が表示されている。この撮影範囲のうちから、使用者が任意の２点をタッチ操作にて指定することによって所望のズーム範囲を設定するわけである。ここで示す例では、タッチ操作を行って指定する２点のうちの１点は、所望のズーム範囲のうち一方（短焦点（広角）寄り）の指定の画角により規定される撮影範囲の一隅とし、他の１点を所望のズーム範囲のうち他方（長焦点（望遠）寄り）の指定の画角により規定される撮影範囲の一隅として設定されるようにしている。これにより、タッチ操作による一方の指定点Ａは、図７において点線で示される二つの矩形枠のうち符号１８Ａで示される一方の（短焦点（広角）寄りの）撮影範囲が設定され、他方の指定点Ｂは、図７において点線で示される二つの矩形枠のうち符号１８Ｂで示される他方の（長焦点（望遠）寄りの）撮影範囲が設定されることになる。
【０１０２】
このように、使用者がタッチ操作によって２点タッチ操作を行うことによって、ズーム微調整のためのズーム範囲が設定される。
【０１０３】
そして、図４のステップＳ３２５において、信号処理制御部１１は、タッチ判定部１１ｃからの指示信号の出力を監視して、２点のタッチ操作が行われたか否かの確認を行う。ここで、２点タッチ操作が確認された場合には、次のステップＳ３２６の処理に進む。また、予め設定された所定の時間内に２点タッチ操作が確認されない場合、若しくはキャンセル指示が確認されたような場合には、所定のキャンセル処理を実行して、図４の処理シーケンスを抜け、元の処理シーケンス（図３）に戻り、図３のステップＳ１１８の処理に進む。なお、上記所定の時間は、時計部１９による計時を参照するものとする。また、キャンセル指示は、例えば同一点のダブルタップ操作等、所定の操作による指示信号や、操作部１５の他の操作部材からの割り込み指示信号等とすればよい。
【０１０４】
続いて、ステップＳ３２６において、信号処理制御部１１は、上述の２点タッチ操作による設定操作の結果に基いて、ズーム微調整のためのズーム設定範囲を決定し、表示制御部１１ｄを介して表示部１８を制御して、その旨の表示処理を実行する。このときの表示結果の例を図７に示す。図７に示す例では、ズーム微調整のためのズーム範囲を表わす二つの撮影範囲を、二つの矩形枠１８Ａ，１８Ｂによって表示している。これに加えて、ズーム微調アイコン６１の二つの指標６１ｂのそれぞれから延出される矢印アイコン６１ｃを表示している。この場合において、矢印アイコン６１ｃの一方は、矩形枠１８Ａを指し示し、矢印アイコン６１ｃの他方は、矩形枠１８Ｂを指し示すように表示している。
【０１０５】
なお、上述のようにしてズーム微調整のためのズーム設定範囲が決定されると、信号処理制御部１１は、レンズ制御部２１を介してズーム駆動部２４ａを制御してズーム駆動機構部２６ａによるズーム光学系のズーム駆動制御を行なって、設定されたズーム範囲のうちの一方、例えば短焦点（広角）寄りのズーム設定とするようにしてもよい。この場合には、表示部１８の全表示画面を使って一方の撮影範囲が表示され、他方の撮影範囲が点線による矩形枠１８Ｂで表示される。
【０１０６】
この図７の表示画面の表示中において、使用者は、フォーカスリング２３ａを回動させることによって、設定されたズーム範囲内でズーミングの微調整を行うことができる（後述する図４のステップＳ３０３の処理）。この場合、フォーカスリング２３ａは、通常の動作モードとは異なり、ズーム駆動部２４ａを介してズーム駆動機構部２６ａを駆動させる操作部材として機能する。
【０１０７】
なお、ズーム微調整の操作手段としては、上記のフォーカスリング２３ａの操作とは別に、図７の表示画面上においてタッチパネル１８ｂ越しにズーム微調アイコン６１の円環部６１ａに沿うタッチ＆スライド操作としてもよい。
【０１０８】
さらに、これらの操作とは別に、ズーム微調アイコン６１の円環部６１ａと同様な形態のダイヤル状部材をカメラボディ１０に設け、このダイヤル状部材を回動操作することによって、同様のズーム微調整の制御を行うような形態としてもよい。
【０１０９】
一方、上述のステップＳ３０１の処理にて、同時回動操作ではないことが確認されて、ステップＳ３０２の処理に進むと、このステップＳ３０２において、信号処理制御部１１は、現在ズーム微調モードに設定されているか否かの確認を行なう。ここで、現在既にズーム微調モードに設定されている場合には、ステップＳ３０３の処理に進む。また、現在ズーム微調モードに設定されておらず、通常のズーム制御を行う通常ズーム制御モードに設定されていることが確認された場合には、ステップＳ３０５の処理に進む。
【０１１０】
ステップＳ３０３において、信号処理制御部１１は、上述の図３のステップＳ１１６の処理による検出結果について、上記二つの操作リング２３ａ，２３ｂのうちのフォーカスリング２３ａが回動操作されたものであるか否かの確認を行なう。ここで、フォーカスリング２３ａの回動操作が確認されている場合には、ズーム微調整のためのズーミング操作が行われているものと判断して、次のステップＳ３０４の処理に進む。また、フォーカスリング２３ａ以外、即ちズームリング２３ｂの回動操作が確認されている場合には、ステップＳ３０５の処理に進む。
【０１１１】
ステップＳ３０５において、信号処理制御部１１は、実行されたリング操作に応じて通常のフォーカス制御若しくはズーム制御を実行する。なお、これら通常のフォーカス制御，ズーム制御は、従来一般のカメラと同様の制御であるので、その詳細は省略する。
【０１１２】
上述のステップＳ３０５の処理について詳述する。上述したように、このステップＳ３０５の処理に入るためには、上記ステップＳ３０２の処理にてズーム微調モードではない（通常ズーム制御モードに設定されている）とされた場合、若しくは上記ステップＳ３０２の処理にてズーム微調モードであると確認されて、かつ上記ステップＳ３０３の処理にてズームリング２３ｂの操作が確認された場合である。
【０１１３】
したがって、前者の場合、即ち通常ズーム制御モード時には通常の操作リングの操作に基く制御がなされる。また、後者の場合、即ちズーム微調モードに設定されている時にズームリング２３ｂが操作された場合は、使用者の意志として、ズーム微調整を行わずに、例えば再度、ズーム微調整のためのズーム範囲の設定を行おうとしている等と判断されて、通常の操作リングの操作に基く制御がなされる。その後、元の処理シーケンス（図３）に戻り、図３のステップＳ１１８の処理に進む。
【０１１４】
一方、上述のステップＳ３０３の処理にてフォーカスリング２３ａの回動操作によるズーム微調整操作が確認されてステップＳ３０４の処理に進むと、このステップＳ３０４において、信号処理制御部１１は、上述のステップＳ３０３の処理によるフォーカスリング２３ａのズーム微調整操作の結果、ズーム位置がズーム設定範囲のうちの一方のズーム端に設定されているか否かの確認を行なう。ここで、ズーム設定範囲のうちのズーム端に到達していることが確認された場合には、次のステップＳ３０６の処理に進む。また、ズーム設定範囲内においてズーム端に到達していないことが確認された場合には、ステップＳ３０７の処理に進む。
【０１１５】
ステップＳ３０６において、信号処理制御部１１は、ズーム設定範囲におけるズーム端とは別のズーム端となるようにズーム設定を変更する。この処理によって、フォーカスリング２３ａの一方向のみへの回動操作を続けたとしても、ズーム設定範囲内でのズーム操作をシームレスに継続して行なうことができるようになる。その後、元の処理シーケンス（図３）に戻り、図３のステップＳ１１８の処理に進む。
【０１１６】
他方、ステップＳ３０７において、信号処理制御部１１は、フォーカスリング２３ａの回動操作に応じて、ズーム設定範囲内におけるズーム微調整制御を実行する。その後、元の処理シーケンス（図３）に戻り、図３のステップＳ１１８の処理に進む。
【０１１７】
なお、本実施形態においては、円環状操作部材からなる二つの操作リング２３ａ，２３ｂの同時回動操作をズーム微調モードへの切り換えのトリガーとしているが、この形態に限られることはない。例えば、カメラボディ１０側に設けられる操作部１５に含まれる押圧式ボタンやスライド摺動式等の複数の操作部材を同時に操作することをモード切り換えのトリガーとする形態としてもよい。
【０１１８】
以上説明したように上記第１の実施形態によれば、小型化により隣接して設けられる二つの操作リング２３ａ，２３ｂを同時に操作することによって、従来なかった動作モード（具体的にはズーム制御のうちのズーム微調モード）へとシームレスに切り換わるように構成している。この場合において、二つの操作リング２３ａ，２３ｂの同時操作を検出した時、各操作リング２３ａ，２３ｂによる通常の制御を禁止するように制御されている。このように、二つの操作リング２３ａ，２３ｂを同時操作すると、各操作リング２３ａ，２３ｂに割り当てられた通常の制御を禁止したので、たとえ二つの操作リング２３ａ，２３ｂの同時操作が誤操作であったとしても設定ずれ等の事故を防止することができると同時に、ズーム制御をズーム微調モードへとシームレスに移行させ得る。
【０１１９】
そうして、ズーム微調モードへと切り換えた後は、表示部１８の表示画面上で所望のズーム範囲を設定し、ズーム操作を行なうためのズームリング２３ｂに隣接するフォーカスリング２３ａを回動操作することによってズーミングの微調整操作を行なうことができるように制御されている。
【０１２０】
したがって、このズーム微調モードによるズーム制御では、使用者（ユーザー）が所望する撮影範囲の詳細なズーム制御を行って厳密なフレーミングを容易に行なうことができる。これによって、通常の電動ズーム制御に比べて、より簡単に所望の撮影範囲の設定（フレーミング）を行なうことができるので、画像表現の幅を広げ多彩な撮影画像を取得することができる。
［第２の実施形態］
【０１２１】
次に説明する本発明の第２の実施形態は、ズーム微調モード時における表示形態が上述の第１の実施形態とは異なる例を示すものである。本実施形態の撮影機器（カメラ）自体の基本的な構成は、上述の第１の実施形態と略同様であり、カメラ制御シーケンスが若干異なるのみである。したがって、上述の第１の実施形態と同様の構成については図示を省略し同じ符号を用いて説明する。また、同様の処理シーケンスについてもその図示及び説明は省略し、異なる部分のみを以下に説明する。
【０１２２】
図８は、本発明の第２の実施形態の撮影機器（カメラ）におけるカメラ制御処理シーケンスを示すフローチャートである。また、図９〜図１４は、本実施形態の撮影機器（カメラ）における撮影動作時の表示部の表示例である。このうち図９は、本撮影機器（カメラ）の表示部に表示されるラブビュー画像の一例を示している。図１０〜図１４は、本撮影機器（カメラ）におけるズーム微調モード時のラブビュー画像の一例をそれぞれ示している。このうち、図１０はズーム微調モードへと切り換えた直後の表示部の表示例である。図１１，図１２はズーム微調モード時において設定操作中の状態を示している。図１１は図１０の状態から望遠側（長焦点側；テレ側）へズーム操作を行った場合の表示部の表示例である。図１２は図１０の状態から広角側（短焦点側；ワイド側）へズーム操作を行った場合の表示部の表示例である。図１３，図１４は、ズーム微調モード時にズーム駆動制御がなされた後の表示部１８の表示状態の例を示している。図１３は、図１１の後の状態、一方のズーム端を図１０のズーム位置に、他方のズーム端をテレ方向に回動させた図１１の設定とした場合に、そのズーム範囲の略中心にズーム位置を設定した際の表示画面の例である。図１４は、図１２の後の状態、即ち一方のズーム端を図１０のズーム位置に、他方のズーム端をワイド方向に回動させた図１２の設定とした場合に、そのズーム範囲の略中心にズーム位置を設定した際の表示画面の例である。
【０１２３】
本実施形態において、撮影対象とする範囲内には、図９のライブビュー画像に示すように、複数の人物等の被写体１０１が存在しているものとする。以下に説明する作用は、この状況において本実施形態のカメラ１を用いて撮影を行なうことを想定している。
【０１２４】
まず、図８のステップＳ４０１において、信号処理制御部１１は、現在の動作モードが撮影モードに設定されているか否かの確認を行なう。ここで、撮影モードに設定されていることが確認された場合には、次のステップＳ４０２の処理に進む。また、撮影モード以外に設定されていることが確認された場合には、ステップＳ４２１の処理に進む（図３のステップＳ１０１に相当）。
【０１２５】
ステップＳ４０２において、信号処理制御部１１は、撮像部（撮像素子１３，レンズ２６等）と表示部１８等を制御して画像データの取得処理及びライブビュー画像表示処理を実行する。その後、ステップＳ４０３の処理に進む（図３のステップＳ１０２に相当）。なお、本実施形態では、上述の実施形態におけるレンズ通信処理（図３のステップＳ１１１の処理）の図示を省略している。これは本発明に直接関連しない処理ステップであるという理由による。したがって、図８の処理シーケンスにおいて、ステップＳ４０２のライブビュー画像表示処理の後に、レンズ通信処理等を含めるようにしてもよい。
【０１２６】
続いて、ステップＳ４０３において、信号処理制御部１１は、通信部１２，２２を介してレンズ制御部２１との通信を行なって、第２回動検出部２７ｂからの信号を監視して、上記ズームリング２３ｂの操作状態を確認する。ここで、ズームリング２３ｂの操作が確認された場合には、ステップＳ４０６の処理に進む。また、ズームリング２３ｂの操作が確認されない場合には、ステップＳ４０４の処理に進む。
【０１２７】
ステップＳ４０４において、信号処理制御部１１は、現在設定されているズーム制御に関するモード判定処理を実行する。ここで、既にズーム微調モードに設定されていることが確認された場合には、ステップＳ４５１の処理に進む。また、通常のズーム制御モードに設定されている場合には、ステップＳ４０５の処理に進む。
【０１２８】
ステップＳ４０５において、信号処理制御部１１は、通信部１２，２２を介してレンズ制御部２１との通信を行なって、第１回動検出部２７ａからの信号を監視して、上記フォーカスリング２３ａの操作状態を確認する。ここで、フォーカスリング２３ａの操作が確認された場合には、ステップＳ４０９の処理に進む。また、フォーカスリング２３ａの操作が確認されない場合には、ステップＳ４１０の処理に進む。
【０１２９】
ステップＳ４０９において、信号処理制御部１１は、上述のステップＳ４０５の処理にて操作されたフォーカスリング２３ａの回動操作量に応じたフォーカス駆動処理を実行する。このフォーカス駆動処理は、通常の手動焦点調節操作（マニュアルフォーカス操作；ＭＦ操作）に応じて行われる通常のフォーカス駆動制御処理である（詳細は省略）。
【０１３０】
続いて、ステップＳ４１０において、信号処理制御部１１は、操作部１５，タッチパネル１８ｂ等からの指示信号を監視する。ここで、撮影動作の指示信号が確認されると、ステップＳ４１１の処理に進む。また、撮影動作の指示信号が確認されない場合には、ステップＳ４０１の処理に戻る。
【０１３１】
ステップＳ４１１において、信号処理制御部１１は、通常の撮影動作を実行する。この撮影処理動作の処理シーケンスは、従来一般のカメラで行われる処理と同様であるものとし、その詳細説明は省略する。その後、ステップＳ４０１の処理に戻る。
【０１３２】
以上の処理シーケンス（Ｓ４０１〜Ｓ４１１）は、通常の動作モードにて通常の撮影を行う際の通常の処理シーケンスである。以下の処理シーケンスが、本発明に関連する部分、即ち本実施形態のカメラ１におけるズーム微調モード時の作用を表わす。
【０１３３】
即ち、上述のステップＳ４０３の処理にてズームリング２３ｂの操作が確認されてステップＳ４０６の処理に進むと、このステップＳ４０６において、信号処理制御部１１は、現在設定されているズーム制御に関するモード判定処理を実行する（上記ステップＳ４０４の処理と同様の処理）。ここで、既にズーム微調モードに設定されていることが確認された場合には、ステップＳ４０８の処理に進む。また、通常のズーム制御モードに設定されている場合、例えばカメラ１の起動直後の状態にある時などは、ステップＳ４０７の処理に進む。
【０１３４】
ステップＳ４０７において、信号処理制御部１１は、操作部１５，タッチパネル１８ｂ，操作リング２３等からの指示信号を監視してズーム制御に関するモード切換操作が行われたか否かの確認を行う。この場合において、ズーム制御のモード切換操作としては、例えば通常ズーム制御モードにある時にズームリング２３ｂの往復回動操作を一定時間内に複数回繰り返すといった所定の操作等を想定している。
【０１３５】
例えば、ズームリング２３ｂの往復回動操作を一定時間内に複数回繰り返す等の操作、具体的には例えばズームリング２３ｂをワイド側とテレ側に小刻みに繰り返し回動操作するといった状況は、使用者がズームリング２３ｂを用いて詳細なズーム操作を行おうとしているものと考えられる。ズームリング２３ｂによるズーム操作は、スイッチのオンオフによる電動ズーム制御としていることから細かな駆動制御を行なうことができず所望のフレーミングを得るための制御が難しい。そこで、上述のように、ズームリング２３ｂの往復回動操作等、所定の操作が行われたときには、ズーミングの微調整操作を行い得るズーム制御モード（ズーム微調モード）へとシームレスに切り換わるようにしている。
【０１３６】
なお、ズーム制御のモード切換操作としては、ほかにも、例えば操作部１５に含まれる所定の操作部材の操作やタッチパネル１８ｂの所定の領域への操作、若しくは操作部材を押しながら操作リングを回転させる等、複数部材の組み合わせによる操作等、または隣接する二つの操作リング２３ａ，２３ｂの同時操作等であってもよい。
【０１３７】
このステップＳ４０７の処理にて、ズーム制御のモード切換操作が確認されると、その操作は、ズーム微調モードへの切り換え操作であると判断されて、ステップＳ４７１の処理に進む。また、ズーム制御のモード切換操作が確認されない場合には、ステップＳ４７９の処理に進む。ここで、ズーム制御モード切換操作を行なった時点で設定されているズーム位置は、これから行おうとするズーム微調整のための基準位置、例えばズーム微調整を行う際のズーム範囲の一方のズーム端位置として設定されるようにしている。なお、ズーム微調整を行う際の基準位置としては、これに限らず、例えばモード切換操作時点で設定されているズーム位置（基準位置）をズーム微調整のズーム範囲の中央位置として設定するようにしてもよい。
【０１３８】
ステップＳ４７１において、信号処理制御部１１は、表示制御部１１ｄを介して表示部１８を制御して、表示部１８に表示中のライブビュー画像に重畳させてズーム微調モードに対応する表示画面（図１０参照）を表示させる。
【０１３９】
ここで、ズーム微調モード時の表示画面の形態として、例えば図１０に示す表示例を説明する。図１０において、表示部１８には、引き続き撮影対象とする被写体１０１を含むライブビュー画像が表示されている。この表示に重畳させて、例えば図１０の画面下縁寄りの略中央部にズーム微調アイコン６１Ａが表示される。ズーム微調アイコン６１Ａは、例えば図１０に示すように、円環形状のリング部材（ズームリング２３ｂ等）を模した図形と、この円環状アイコンの近傍に表示される矢印を模した操作方向指示アイコン等からなる。なお、図１０において「ＺＭ」は「ズーム」を表わす文字アイコンの例示である。また「Ｔ」は「テレ（望遠）方向」を、「Ｗ」は「ワイド（広角）方向」表わす文字アイコンの例示である。
【０１４０】
また、図１０に示すように、上記ズーム微調アイコン６１Ａを挟むようにして、下縁寄りの両隅部近傍の各々には、矩形枠状の小窓１８ｔ，１８ｗが表示される。この二つの小窓１８ｔ，１８ｗは、ズーム微調モード時におけるズーム設定に応じて変化する撮影範囲の目安を表示するための領域としている。具体的には、一方の小窓１８ｔには、望遠側にズーミングした時の撮影範囲が表示される。また、他方の小窓１８ｗには、広角側にズーミングした時の撮影範囲が表示される。
【０１４１】
上述のステップＳ４７１の処理においては、さらに、信号処理制御部１１は、表示制御部１１ｄを介して表示部１８を制御して、上記小窓１８ｔ，１８ｗの両方に現在設定されているズーム設定に応じた撮影範囲の画像、即ちライブビュー画像と略同じ画像を表示させる。図１０に示す例は、ズーム微調モードに設定した直後の状態を示している。したがって、二つの小窓１８ｔ，１８ｗの各々には、表示部１８に表示中のライブビュー画像と同等の画像が表示されている。つまり、この時点においては、ズーム微調モード設定直後でズーム操作も行われていない状態であるので、小窓１８ｔ，１８ｗの各々には同じ画像が表示されている。
【０１４２】
図８に戻って、上述したように、ステップＳ４０７の処理にてモード切換操作が行われなかった場合の後、及びステップＳ４７１の処理にてモード切換処理が完了した場合の後、ステップＳ４７９の処理に進む。
【０１４３】
ステップＳ４７９において、信号処理制御部１１は、ズームリング２３ｂの回動操作に応じた通常のズームレンズ駆動制御処理を実行する。その後、ステップＳ４１０の処理に進む。
【０１４４】
上述のステップＳ４７１のモード切換処理によって、ズーム微調モードが設定された後、ズーム微調モード時の設定操作が行われている場合においては、ステップＳ４７９からステップＳ４１０を経てステップＳ４０４に戻った後、再度ステップＳ４０６の処理に戻り、このステップＳ４０６の処理にて、現在のズーム微調モードに設定されていることが確認されてステップＳ４０８の処理に進む。
【０１４５】
そして、このステップＳ４０８において、信号処理制御部１１は、操作部１５，タッチパネル１８ｂ，操作リング２３等からの指示信号を監視して、ズーム微調モードを解除する操作が行われたか否かの確認を行う。この場合において、ズーム微調モード解除操作としては、例えばフォーカスリング２３ａの回動操作とズームリング２３ｂとの回動操作を行なう操作のほか、操作部１５のうちの所定の操作部材の操作、若しくはタッチパネル１８ｂへの所定の領域へのタッチ操作等である。ここで、ズーム微調モード解除操作が確認された場合には、ステップＳ４８５の処理に進む。また、ズーム微調モード解除操作が確認されない場合には、ステップＳ４８１の処理に進む。
【０１４６】
ズーム微調モードでの作用を引き続き行う場合、即ち、上記ステップＳ４０８の処理にて、モード解除指示が確認されず、ズーム微調モードが継続されていると判断されて、次のステップＳ４８１の処理に進むと、このステップＳ４８１において、信号処理制御部１１は、第２回動検出部２７ｂからの信号を監視してズームリング２３ｂの回動方向を確認する。ここで、ズームリング２３ｂの回動方向がテレ（Ｔｅｌｅ）方向であると確認された場合には、ステップＳ４８２の処理に進む。また、ズームリング２３ｂの回動方向がワイド（Ｗｉｄｅ）方向であると確認された場合には、ステップＳ４８３の処理に進む。
【０１４７】
続いてステップＳ４８２において、信号処理制御部１１は、ズームリング２３ｂのテレ（Ｔｅｌｅ）方向への回動操作に応じた所定のズーム駆動制御を行うと共に、表示制御部１１ｄを介して表示部１８を制御して対応するライブビュー画像を表示する。これと同時に、テレ（Ｔｅｌｅ）側の小窓１８ｔの撮影範囲の表示変更処理（画角変更処理）を行う。この場合において、ズームリング２３ｂのテレ（Ｔｅｌｅ）方向への回動操作が停止された時点のズーム位置を、ズーム微調整のためのズーム範囲の他方のズーム端位置に設定する。その後、ステップＳ４８９の処理に進む。
【０１４８】
図１１は、表示部１８の表示画面が図１０の状態にあるときに、ズームリング２３ｂをテレ（Ｔｅｌｅ）方向へ回動操作することによって実行される処理（ステップＳ４８２の処理）に応じて変化した後の表示画面の一例を示している。図１１に示すように、ライブビュー画像は図１０に比べて拡大された被写体１０１ｔが表示され、これに対応する画像が小窓１８ｔに表示されている。これと同時に、図１１において、小窓１８ｗには、上述のステップＳ４０７，Ｓ４７１の処理の時点で設定された一方のズーム端位置（基準位置）に対応する画角を示す枠表示１８ｗａが表示されている。つまり、図１１の小窓１８ｗは、本カメラ１の撮影光学系により撮影し得る最広角端に設定した時の全撮影範囲を示し、その範囲内において、設定されたズーム端位置に対応する撮影範囲を枠表示１８ｗａで示している。
【０１４９】
また、ステップＳ４８３においては上述のステップＳ４８２と略同様に、信号処理制御部１１は、ズームリング２３ｂのワイド（Ｗｉｄｅ）方向への回動操作に応じた所定のズーム駆動制御を行うと共に、表示制御部１１ｄを介して表示部１８を制御して対応するライブビュー画像を表示する。これと同時に、ワイド（Ｗｉｄｅ）側の小窓１８ｗの撮影範囲の表示変更処理（画角変更処理）を行う。この場合において、ズームリング２３ｂのワイド（Ｗｉｄｅ）方向への回動操作が停止された時点のズーム位置を、ズーム微調整のためのズーム範囲の他方のズーム端位置に設定する。その後、ステップＳ４８９の処理に進む。
【０１５０】
図１２は、表示部１８の表示画面が図１０の状態にあるときに、ズームリング２３ｂをワイド（Ｗｉｄｅ）方向へ回動操作することによって実行される処理（ステップＳ４８３の処理）に応じて変化した後の表示画面の一例を示している。図１２に示すように、ライブビュー画像は図１０に比べて縮小された被写体１０１ｗが表示され、これに対応する画像が小窓１８ｗに表示されている。これと同時に、図１２において、小窓１８ｔには、上述のステップＳ４０７，Ｓ４７１の処理の時点で設定された一方のズーム端位置（基準位置）に対応する撮影範囲の画像が表示されている。
【０１５１】
ステップＳ４８９において、信号処理制御部１１は、所定の変更フラグを設定する。ここで、変更フラグとは、ズーム微調モードにおけるズーム微調整のためのズーム範囲（の両端位置）が設定済みであることを示すフラグである。
【０１５２】
このようにしてステップＳ４８９の処理が完了すると、ズーム微調モード時のズーム範囲の設定が行われる。続いてズーム微調モード時においてズーム微調整を行う際の作用は次のようになる。
【０１５３】
上述のステップＳ４８９の処理が完了することによってズーム微調モードのズーム範囲の設定が完了すると、ステップＳ４７９を経てステップＳ４１０の判断の後、ステップＳ４０３に戻り、次いでステップＳ４０４の処理に進み、このステップＳ４０４のモード判定処理にて、既にズーム微調モードに設定済みであることが確認されてステップＳ４５１の処理に進む。
【０１５４】
すると、このステップＳ４５１において、信号処理制御部１１は、変更フラグの確認を行う。ここで、変更フラグが確認された場合には、ステップＳ４５２の処理に進む。また、変更フラグが確認されない場合には、ステップＳ４５４の処理に進む。
【０１５５】
ステップＳ４５２において、信号処理制御部１１は、レンズ制御部２１を介してズーム駆動部２４ａを制御してズーム駆動機構部２６ａによるズーム光学系のズーム駆動制御を行って、両端が設定されたズーム範囲の略中心にズーム光学系のズーム位置を設定するための画角変更処理を行う。
【０１５６】
ここで、図１３，図１４は、ズーム微調モード時においてズーム駆動制御がなされた時の表示部１８の表示状態の例を示している。図１３は、図１１の後の状態、即ち一方のズーム端を図１０のズーム位置に、他方のズーム端をテレ方向に回動させた図１１の設定とした場合に、そのズーム範囲の略中心にズーム位置を設定した際の表示画面の例である。また、図１４は、図１２の後の状態、即ち一方のズーム端を図１０のズーム位置に、他方のズーム端をワイド方向に回動させた図１２の設定とした場合に、そのズーム範囲の略中心にズーム位置を設定した際の表示画面の例である。
【０１５７】
なお、図１３，図１４に示すように、ズーム微調モード時において、ズーム範囲の設定が完了した後には、ズーム微調整操作を補助するために、アイコン６１Ａの近傍に回転方向を示す矢印等のガイド表示が表れるようにしている。ここで、矢印表示は回転方向を示す表示である。この矢印方向に附された「Ｔ」，「Ｗ」等のガイド表示は、それぞれ「テレ」，「ワイド」を意味する表示である。したがって、使用者は、表示部１８の表示を見るだけで、直感的にズーム微調整の操作方法がわかり、例えば、微調整を行いたい所望の方向に対応する矢印表示に従ってリング回動操作を行えばよいように表示の工夫がなされている。
【０１５８】
続いて、ステップＳ４５３において、信号処理制御部１１は、変更フラグをクリアして、次のステップＳ４５４の処理に進む。
【０１５９】
本実施形態のカメラ１においては、フォーカスリング２３ａを用いてズーム微調整のための操作を行うこととしている。そこで、次のステップＳ４５４の処理にて、フォーカスリング２３ａの回動操作の確認を行う。
【０１６０】
即ち、ステップＳ４５４において、信号処理制御部１１は、通信部１２，２２を介してレンズ制御部２１との通信を行なって、第１回動検出部２７ａからの信号を監視して、上記フォーカスリング２３ａの操作状態を確認する。ここで、フォーカスリング２３ａの操作が確認された場合には、ステップＳ４５５の処理に進む。また、フォーカスリング２３ａの操作が確認されない場合には、ステップＳ４１０の処理に進む。
【０１６１】
ステップＳ４５５において、信号処理制御部１１は、フォーカスリング２３ａの回動操作に応じてレンズ制御部２１を介してズーム駆動部２４ａを制御してズーム駆動機構部２６ａによるズーム光学系の所定のズーム駆動制御を実行する。
【０１６２】
つまり、本実施形態のカメラ１においては、ズーム微調モードにある時にフォーカスリング２３ａが操作されると、そのフォーカスリング２３ａの回動操作指示に応じたズーム駆動制御を実行する。その後、ステップＳ４１０の処理に進む。
【０１６３】
なお、上述のステップＳ４０８の処理にてモード解除指示が確認されて、次のステップＳ４８５の処理に進むと、このステップＳ４８５において、信号処理制御部１１は、ズーム制御モードの設定を通常ズーム制御モードへと変更するモード変更処理を実行する。
【０１６４】
続いて、ステップＳ４８６において、信号処理制御部１１は、表示制御部１１ｄを介して表示部１８を制御して、ズーム微調モード用のアイコン表示（６１Ａ，１８ｔ，１８ｗ等）の表示を消去する。これにより、表示部１８の表示は、通常のライブビュー画像のみが表示される状態、即ち、図９に示す状態に戻る。その後、ステップＳ４７９の処理に進む。
【０１６５】
また、上述のステップＳ４０１の処理にて、カメラ１に設定されている動作モードが撮影モード以外であることが確認されて、ステップＳ４２１の処理に進むと、このステップＳ４２１において、信号処理制御部１１は、現在の動作モードが再生モードであると判断し、所定の再生処理を実行する。ここで、所定の再生処理とは、従来のカメラにて行われる再生処理であるものとする。この再生処理については、本実施形態には直接関連しない部分であるので、その詳細説明は省略する。また、再生モード以外に設定されている場合の処理シーケンスについても、本実施形態には直接関連しない部分であることから、その図示及び詳細説明は省略する。この再生処理が終了したら、上述のステップＳ４０１の処理に戻る。
【０１６６】
なお、ズーム微調モード時のフォーカスリング２３ａのリング回転量と画角の変化量との関係は、例えば図１５に示すように、１：１の関係（図中符号Ａ）となるように制御してもよい。また、ワイド寄りのズーム端部近傍では荒く、テレ寄りのズーム端近傍では細かい微調整を行い得るような関係（図中符号Ｂ２）とする制御としてもよい。これとは逆に、ワイド寄りのズーム端部近傍では細かい微調整を行い得るようにし、テレ寄りのズーム端近傍では粗い画角変化とする関係（図中符号Ｂ１）とする制御としてもよい。
【０１６７】
また、リング回転速度と画角変化速度との関係については、図１６に示すように、リニアな関係（図中符号Ｃ）で制御してもよいし、遅い速度でリングを回動させると画角変化が少なくする一方、早い速度でリングを回転させると画角変化も大きくなるような制御（図中符号Ｄ）としてもよい。
【０１６８】
以上説明したように上記第２の実施形態によれば、上述の第１の実施形態と同様の効果を得ることができる。
【０１６９】
なお、上記各実施形態においては、ズーム機能を実現する手段として、撮影光学系のズーム光学系を光軸方向に進退させることによって、当該撮影光学系により結像される被写体像の拡大若しくは縮小を行ういわゆる光学ズーム機能を備えた撮影機器（カメラ）の構成を例示しているが、本発明を適用し得る撮影機器は、この形態に限られることはない。例えば、撮像素子から出力される画像信号に対して所定の画像処理を施すことによって、被写体を含む画像の拡大若しくは縮小を行ういわゆるデジタルズーム機能を備えた撮影機器（カメラ）であってもよい。さらに、光学ズーム機能とデジタルズーム機能とを備え、両者をシームレスに利用し得るような構成の撮影機器（カメラ）においても、本発明は、容易に適用することができる。
【０１７０】
本発明は、上記各実施形態にそのまま限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【０１７１】
上述の各実施形態で説明した各処理シーケンスは、その性質に反しない限り、手順の変更を許容し得る。したがって、上述の処理シーケンスに対して、例えば各処理ステップの実行順序を変更したり、複数の処理ステップを同時に実行させたり、一連の処理シーケンスを実行する毎に、各処理ステップの順序が異なるようにしてもよい。
【０１７２】
即ち、特許請求の範囲、明細書、および図面中の動作フローに関して、便宜上「まず」、「次に」等を用いて説明したとしても、この順で実施することが必須であることを意味するものではない。また、これらの動作フローを構成する各ステップは、発明の本質に影響しない部分については、適宜省略も可能であることは言うまでもない。
【０１７３】
また、ここで説明した技術のうち、主にフローチャートで説明した制御や機能は、多くがソフトウエアプログラムにより設定可能であり、そのプログラムをコンピュータが読み取り実行することで上述した制御や機能を実現することができる。そのプログラムは、コンピュータプログラム製品として、フレキシブルディスク，ＣＤ−ＲＯＭ等，不揮発性メモリ等の可搬媒体や、ハードディスク，揮発性メモリ等の記憶媒体に、その全体あるいは一部を記録又は記憶することができ、製品出荷時又は可搬媒体或いは通信回線を介して流通又は提供が可能である。使用者（ユーザー）は、通信ネットワークを介してそのプログラムをダウンロードしてコンピュータにインストールしたり、あるいは記録媒体からコンピュータにインストールすることで、容易に本実施の形態の撮影機器を実現することができる。
【産業上の利用可能性】
【０１７４】
本発明は、デジタルカメラ等の撮影機能に特化した電子機器である撮影機器に限られることはなく、撮影機能を備えた他の形態の電子機器、例えば携帯電話，スマートフォン，録音機器，電子手帳，パーソナルコンピュータ，タブレット端末機器，ゲーム機器，携帯テレビ，時計，ＧＰＳ（Global Positioning System）を利用したナビゲーション機器等、各種の撮影機能付き電子機器にも広く適用することができる。
【０１７５】
さらに、撮像素子を用いて画像を取得し、その取得画像を表示装置に表示する機能を有する電子機器、例えば望遠鏡，双眼鏡，顕微鏡等の観察用機器に対しても同様に適用することができる。
【符号の説明】
【０１７６】
１……カメラ，
１０……カメラボディ，１１……信号処理制御部，１１ａ……フォーカス処理部，１１ｂ……画像処理部，１１ｃ……タッチ判定部，１１ｄ……表示制御部，１２……ボディ側通信部，１３……撮像素子，１４……記録部，１５……操作部，１６……一時記録部，１８……表示部，１８ｂ……タッチパネル，１９……時計部，
２０……レンズ鏡筒，２１……レンズ制御部，２２……レンズ側通信部，２３……レンズ側操作部，２３ａ……フォーカスリング，２３ｂ……ズームリング，２４ａ……ズーム駆動部，２４ｂ……フォーカス駆動部，２４ｃ……絞り駆動部，２５ａ……ズームレンズ位置検出部，２５ｂ……フォーカスレンズ位置検出部，２６……レンズ，２６ａ……ズーム駆動機構部，２６ｂ……フォーカス駆動機構部，２６ｃ……絞り駆動機構部，２７ａ……第１回動検出部，２７ｂ……第２回動検出部，
６１，６１Ａ……ズーム微調アイコン，
【図１】
2015001716.tif 000003
【図２】
2015001716.tif 000004
【図３】
2015001716.tif 000005
【図４】
2015001716.tif 000006
【図５】
2015001716.tif 000007
【図６】
2015001716.tif 000008
【図７】
2015001716.tif 000009
【図８】
2015001716.tif 000010
【図９】
2015001716.tif 000011
【図１０】
2015001716.tif 000012
【図１１】
2015001716.tif 000013
【図１２】
2015001716.tif 000014
【図１３】
2015001716.tif 000015
【図１４】
2015001716.tif 000016
【図１５】
2015001716.tif 000017
【図１６】
2015001716.tif 000018